(57)【要約】【課題】印刷対象としてのラベルに適した画像を容易に抽出し、印刷できるようにする。【解決手段】画像選択部７０は、記憶部に記憶された画像を選択する。表示部９０は、選択された画像８２を表示する。表示制御部は、記憶部に記憶された印刷範囲９１を画像８２に重ねて表示させる。範囲調整部は、画像８２と印刷範囲９１の位置を調整する。印刷部は、印刷範囲９１に位置する画像をラベル１００に印刷する。【選択図】図２
2014197729.tif 000002
【特許請求の範囲】
【請求項１】
台紙にラベルが貼り付けられた媒体に印刷される画像を記憶するとともに、前記媒体の前記ラベルに対応する印刷範囲を記憶する記憶部と、
前記記憶部に記憶された画像を選択する画像選択部と、
前記画像選択部で選択された画像を表示する表示部と、
前記記憶部に記憶された前記印刷範囲を、前記表示部で表示された画像に重ねて表示させる表示制御部と、
前記画像と前記印刷範囲の位置を調整する範囲調整部と、
前記印刷範囲に位置する画像を前記ラベルに印刷する印刷部と、
を備えることを特徴とするラベル印刷装置。
【請求項２】
前記記憶部は、テンプレート画像を記憶し、
前記画像選択部により前記テンプレート画像が選択されたとき、前記表示制御部は、当該テンプレート画像を、前記印刷範囲との位置を維持して表示させる請求項１に記載のラベル印刷装置。
【請求項３】
前記範囲調整部は、前記印刷範囲の寸法比を維持しつつ、前記画像と前記印刷範囲の位置を調整する請求項１または２に記載のラベル印刷装置。
【請求項４】
前記印刷範囲の形状は、前記ラベルの形状である請求項１から３のいずれか一項に記載のラベル印刷装置。
【請求項５】
記憶された画像とともに、当該画像が印刷される台紙に貼り付けられたラベルの印刷範囲を表示させ、
表示された前記画像および前記印刷範囲に基づいて、前記印刷範囲と前記画像の位置を調整させ、
調整された前記印刷範囲に位置する画像を前記ラベルに印刷することを特徴とするラベル印刷方法。
【請求項６】
記憶されたテンプレート画像が選択されたとき、前記印刷範囲に対して前記テンプレート画像の位置を維持しつつ、前記画像と前記印刷範囲の位置を調整させる請求項５に記載のラベル印刷方法。
【請求項７】
前記印刷範囲の寸法比を維持しつつ、前記画像と前記印刷範囲の位置を調整させる請求項５または６に記載のラベル印刷方法。
【発明の詳細な説明】
【技術分野】
【０００１】
本発明は、台紙上にラベルが貼り付けられた媒体に印刷を行なうラベル印刷装置およびラベル印刷方法に関する。
【背景技術】
【０００２】
写真などの原画像データから主要部を検出してトリミングし、当該主要部を表示処理や印刷処理に供する構成が知られている（例えば、特許文献１参照）。
【先行技術文献】
【特許文献】
【０００３】
【特許文献１】特開２００８−３０６２３６号公報
【発明の概要】
【発明が解決しようとする課題】
【０００４】
上記のように抽出した画像の一部を、ラベル上に印刷したいという需要がある。しかしながら、ラベルには複雑な輪郭形状を有するものや、当該画像の一部とともに印刷される文字や絵が予め定められているものがある。したがって、抽出した画像の一部が、ラベルの輪郭形状にマッチしない場合や、予め定められた文字や絵とのレイアウトバランスがとれていない場合がある。
【０００５】
よって本発明は、印刷対象としてのラベルに適した画像を容易に抽出し、印刷しうる技術を提供することを目的とする。
【課題を解決するための手段】
【０００６】
上記の目的を達成するために、本発明がとりうる第１の態様は、ラベル印刷装置であって、台紙にラベルが貼り付けられた媒体に印刷される画像を記憶するとともに、前記媒体の前記ラベルに対応する印刷範囲を記憶する記憶部と、前記記憶部に記憶された画像を選択する画像選択部と、前記画像選択部で選択された画像を表示する表示部と、前記記憶部に記憶された前記印刷範囲を、前記表示部で表示された画像に重ねて表示させる表示制御部と、前記画像と前記印刷範囲の位置を調整する範囲調整部と、前記印刷範囲に位置する画像を前記ラベルに印刷する印刷部と、を備えることを特徴とする。
【０００７】
上記の目的を達成するために、本発明がとりうる第２の態様は、ラベル印刷方法であって、記憶された画像とともに、当該画像が印刷される台紙に貼り付けられたラベルの印刷範囲を表示させ、表示された前記画像および前記印刷範囲に基づいて、前記印刷範囲と前記画像の位置を調整させ、調整された前記印刷範囲に位置する画像を前記ラベルに印刷することを特徴とする。
【０００８】
本発明の構成によれば、ユーザーは、印刷対象のラベルの形状に対応する印刷範囲を表示部上に視認することができる。このため、原画像から抽出される画像の一部を、当該ラベルに適したものとすることが容易である。特に複雑な輪郭形状を有するラベルに印刷する場合においても、抽出される画像を、当該輪郭形状とのレイアウトバランスがとれたものとすることが容易である。
【０００９】
前記記憶部がテンプレート画像を記憶する構成としてもよい。この場合、前記画像選択部により前記テンプレート画像が選択されたとき、前記表示制御部は、当該テンプレート画像を、前記印刷範囲との位置を維持して表示させる。
【００１０】
本発明の構成によれば、抽出される画像を、テンプレート画像とのレイアウトバランスがとれたものとすることが容易である。
【００１１】
前記範囲調整部は、前記印刷範囲の寸法比を維持しつつ、前記画像と前記印刷範囲の位置を調整する構成としてもよい。
【００１２】
本発明の構成によれば、ユーザーによる印刷範囲の調整に過度の裁量を与えないようにすることができる。これにより、ラベル上に印刷される画像のレイアウトに係る直感性を確保するとともに、印刷結果とのミスマッチを防止することが可能である。
【図面の簡単な説明】
【００１３】
【図１】本発明の一実施形態に係るラベル印刷装置の構成を示すブロック図である。
【図２】ラベル印刷装置の表示部に表示されるユーザーインターフェースを説明する図である。
【図３】ユーザーインターフェースを用いた印刷範囲の調整を説明する図である。
【図４】ユーザーインターフェースを用いた印刷範囲の調整を説明する図である。
【図５】本発明の一実施形態に係るラベル印刷方法を示すフローチャートである。
【図６】ユーザーインターフェースの別例を説明する図である。
【図７】ユーザーインターフェースの別例を説明する図である。
【発明を実施するための形態】
【００１４】
添付の図面を参照しつつ、本発明に係る実施形態の例について、以下詳細に説明する。図１は、本発明の一実施形態に係るラベル制御装置１の構成を示すブロック図である。
【００１５】
ラベル印刷装置１は、台紙にラベルが貼り付けられた媒体に印刷を行なう装置である。ラベル印刷装置１は、インターフェース１２、プロセッサー１３、メモリー１４、および印刷部１５を備えている。
【００１６】
インターフェース１２は、ラベル印刷装置１に所望の動作を行なわせるために、ユーザーから入力される指示を受け付ける。インターフェース１２は、受け付けた指示に対応する信号をプロセッサー１３へ出力する。
【００１７】
プロセッサー１３は、中央演算装置（ＣＰＵ）をはじめとする、各種演算処理を実行する演算素子群を含んでいる。
【００１８】
メモリー１４は、プロセッサー１３により実行される各種制御プログラムを格納するＲＯＭ、データ格納やプログラム実行のためのワークエリアとして利用されるＲＡＭ等の記憶素子群を含んでいる。
【００１９】
印刷部１５は、図示しない媒体の搬送機構と印刷ヘッドを備える、いわゆるプリントエンジンである。印刷部１５は、プロセッサー１３の指令に応じて、搬送機構により所定の位置に搬送された台紙上のラベルに対し、印刷ヘッドにより印刷を行なう。
【００２０】
インターフェース１２は、図示しないボタン、スイッチ群に加えて、表示部２０を含んでいる。表示部２０は、液晶方式や有機ＥＬ方式の小型ディスプレイ装置であり、表面にタッチパネルが実装されている。表示部２０は、ラベルに印刷する画像を選択するユーザーインターフェース（ＵＩ）７０（画像選択部の一例）を表示する。図２の（ａ）は、そのようなＵＩ７０の一例を示している。
【００２１】
ＵＩ７０は、画像選択領域８０を有している。画像選択領域８０には、複数の画像がサムネイル形式で表示可能である。図示の例においては、画像８１〜８４が表示されている。当該複数の画像は、プロセッサー１３が、メモリー１４（記憶部の一例）に格納されている画像データ４０を読み出して表示させている。画像選択領域８０内に表示される画像は、スクロールボタン８５やスクロールバー８６を用いて変更することができる。
【００２２】
なおメモリー１４に格納されている画像データ４０としては、外部装置（コンピューターや携帯情報端末など）から有線または無線通信を通じて取得されたもの、ラベル印刷装置１に装着された可搬記憶媒体（メモリーカードやＵＳＢメモリーなど）を通じて取得されたもの、ネットワーク（ＬＡＮやＷＡＮなど）を通じてダウンロードされたものが例示される。
【００２３】
ＵＩ７０は、選択画像表示領域９０を有している。ユーザーは、画像選択領域８０に表示された複数の画像からラベル印刷の対象とする画像を選択する。ユーザーは、所望のサムネイル画像に触れることにより、選択を有効にすることができる。選択画像表示領域９０には、選択された画像が拡大表示される。図２の（ａ）に示す例においては、画像８２が選択されている。
【００２４】
図１に示すように、プロセッサー１３は、表示制御部３１、範囲調整部３２、および印刷データ生成部３３を備えている。以降の説明においては、ＵＩ７０により選択された画像８２を、図２の（ｂ）に示す輪郭形状を有するラベル１００に印刷する場合の動作について説明する。
【００２５】
図１に示すように、メモリー１４（記憶部の一例）には、ラベルデータ６０が格納されている。ラベルデータ６０は、印刷範囲情報６１を含んでいる。本例においては、ラベル１００全体が印刷範囲となるため、印刷範囲情報６１は、ラベル１００の輪郭形状を示す。
【００２６】
表示制御部３１は、印刷対象のラベル１００の形状に対応する印刷範囲を示す指標９１を、選択画像表示領域９０に表示されている選択画像８２に重ねて表示する。具体的には、表示制御部３１がラベルデータ６０の印刷範囲情報６１を読み出し、当該情報の示す形状の指標９１を生成する。図２の（ａ）に示す例においては、ラベル１００の輪郭形状に一致する形状の枠線が、指標９１として選択画像表示領域９０に表示されている。当該枠線の内側が印刷範囲を示している。
【００２７】
印刷部１５は、指標９１が示す印刷範囲に位置する選択画像８２の一部を、ラベル１００上に印刷するように構成されている。すなわち図２の（ａ）に示す例においては、選択画像８２のうち、指標９１の枠内に表示されている部分がラベル印刷に供される。図２の（ｂ）は、このようにして選択画像８２の一部がラベル１００上に印刷された例を示している。
【００２８】
範囲調整部３２は、選択画像８２に対する指標９１の相対位置と相対角度を調整する。図３は、ＵＩ７０を用いて相対位置を調整する例を示している。図４は、ＵＩ７０を用いて相対角度を調整する例を示している。
【００２９】
図３の（ａ）は、選択画像表示領域９０内における指標９１の位置を変更する場合を示している。ユーザーが指標９１の枠線の内側領域に触れると、指標９１のドラッグ操作が有効になる。ユーザーは、選択画像表示領域９０内の任意の箇所へ、ドラッグした指標９１を移動させることができる。移動時において、指標９１の寸法比は維持される。
【００３０】
図３の（ｂ）は、選択画像表示領域９０内における選択画像８２の位置を変更する場合を示している。ユーザーが指標９１の枠線の外側領域に触れると、選択画像８２のドラッグ操作が有効になる。ユーザーは、選択画像表示領域９０内の任意の箇所へ、ドラッグした選択画像８２を移動させることができる。移動時において、選択画像８２の寸法比は維持される。
【００３１】
なお図３の（ｂ）においては、選択画像８２の一部が選択画像表示領域９０の外側に位置している。これは理解を容易にするためであって、選択画像表示領域９０の外側に位置する選択画像８２の一部は、実際には表示されない。
【００３２】
図３の（ｃ）は、選択画像表示領域９０内における指標９１の大きさを変更する場合を示している。ユーザーが指標９１の枠線の内側における２箇所に触れ、その間隔を広げることにより、指標９１を拡大することができる。またその間隔を狭めると、指標９１を縮小することができる。拡大縮小時において、指標９１の寸法比は維持される。同図においては、指標９１を拡大する例が示されている。
【００３３】
図３の（ｄ）は、選択画像表示領域９０内における選択画像８２の大きさを変更する場合を示している。ユーザーが指標９１の枠線の外側における２箇所に触れ、その間隔を広げることにより、選択画像８２を拡大することができる。またその間隔を狭めると、選択画像８２を縮小することができる。拡大縮小時において、選択画像８２の寸法比は維持される。同図においては、選択画像８２を縮小する例が示されている。
【００３４】
選択画像表示領域内９０には、回転ハンドル９２が表示されている。図４の（ａ）に示すように、ユーザーが回転ハンドル９２に触れると、選択画像８２の回転ドラッグ操作が有効になる。ユーザーは、図４の（ｂ）に示すように、選択画像表示領域９０内で指を移動させることにより、ドラッグした選択画像８２を任意の方向および角度に回転させることができる。
【００３５】
なお図４の（ｂ）においては、選択画像８２の一部が選択画像表示領域９０の外側に位置している。これは理解を容易にするためであって、選択画像表示領域９０の外側に位置する選択画像８２の一部は、実際には表示されない。
【００３６】
以上のように選択画像８２と指標９１の相対位置（拡大縮小は、両者の奥行き方向における相対位置が変化しているとみなすことができる）および相対角度を調整することにより、指標９１の枠内に表示される選択画像８２の一部を変更することができる。すなわちラベル１００の輪郭内に印刷される画像のレイアウトを変更したい場合に、上記の操作の少なくとも一つが行なわれる。範囲調整部３２は、上記の調整操作中における選択画像８２と指標９１の表示制御を司る。
【００３７】
印刷データ生成部３３は、表示色（ＲＧＢ）ベースの画像データ４０から、表示制御部３１と範囲調整部３２により定められた印刷範囲に対応する部分について、印刷色（ＹＭＣＫ）ベースの印刷データ５０を生成する。生成される印刷データは、例えば諧調値に対応するインク吐出量を規定する。
【００３８】
図１に示すように、生成された印刷データ５０は、メモリー１４に格納され、プロセッサー１３からの指令に応じて印刷部１５へと送られる。印刷部１５は、印刷データ５０に基づいて、ラベル１００上に印刷を実行する。
【００３９】
次に図５を参照しつつ、上記のような構成を備えるラベル印刷装置１を用いたラベル印刷方法について説明する。当該方法は、画像選択処理Ｓ１、範囲表示処理Ｓ２、範囲調整処理Ｓ３、および印刷処理Ｓ４を含んでいる。
【００４０】
画像選択処理Ｓ１においては、図２の（ａ）を参照して説明したように、ラベル１００に印刷される画像が、表示部２０に表示されるＵＩ７０を通じて選択される。具体的には、プロセッサー１３が、メモリー１４に格納されている画像データ４０を読み出し、ＵＩ７０における画像選択領域８０にサムネイル表示する。ユーザーは、所望のサムネイル画像に触れることにより、選択を有効にする。選択された画像は、ＵＩ７０の選択画像表示領域９０に拡大表示される。
【００４１】
範囲表示処理Ｓ２においては、図２の（ａ）を参照して説明したように、プロセッサー１３の表示制御部３１が、メモリー１４に格納されているラベルデータ６０を読み出し、印刷対象のラベルの形状に対応する印刷範囲を示す指標を生成する。表示制御部３１は、生成した指標を、選択画像表示領域９０に表示されている選択画像に重ねて表示する。
【００４２】
範囲調整処理Ｓ３においては、図３と図４を参照して説明したように、ＵＩ７０を用いて、選択画像に対する指標の相対位置と相対角度の少なくとも一方を調整する。プロセッサー１３の範囲調整部３２は、調整操作中における、選択画像と指標の表示制御を司り、両者の寸法比を維持する。
【００４３】
印刷処理Ｓ４においては、印刷データ生成部３３が、表示色（ＲＧＢ）ベースの画像データ４０から、範囲表示処理Ｓ２と範囲調整処理Ｓ３により定められた印刷範囲に対応する部分（すなわち指標９１の内側部分）について、印刷色（ＹＭＣＫ）ベースの印刷データ５０を生成する。
【００４４】
生成された印刷データ５０は、メモリー１４に格納される。例えばインターフェース１２を通じて印刷実行指示が入力されることにより、印刷データ５０はメモリー１４から印刷部１５へ送られ、ラベル１００上への印刷が実行される。
【００４５】
例えば一つのラベル内に複数の画像を配置する場合などは、図５に破線で示すように、必要に応じて画像選択処理Ｓ１、範囲表示処理Ｓ２、および範囲調整処理Ｓ３が繰り返される。このような例について図６と図７を参照しつつ以下説明する。
【００４６】
図６に示すラベル２００は、予め定められたテンプレート画像２１０内に、第１画像配置領域２１１と第２画像配置領域２１２が設けられた構成を有している。第１画像配置領域２１１は、ユーザーによって選択された第１選択画像が配置される領域である。第２画像配置領域２１２は、ユーザーによって選択された第２選択画像が配置される領域である。ラベル２００は、テンプレート画像２１０に第１選択画像と第２選択画像が埋め込まれた外観をもって印刷される。
【００４７】
このようなラベル２００を印刷するために、表示部２０にはＵＩ７０Ａが表示される。ＵＩ７０Ａは、図２の（ａ）に示したＵＩ７０の画像選択領域８０と選択画像表示領域９０に加え、ラベル２００が印刷された状態をプレビューするプレビュー表示領域９５を備えている。
【００４８】
上述した画像選択処理Ｓ１において、先ず第１画像配置領域２１１に配置される画像が選択される。具体的には、プロセッサー１３が、メモリー１４に格納されている画像データ４０を読み出し、画像選択領域８０にサムネイル表示する。
【００４９】
一方、プロセッサー１３は、メモリー１４に格納されているラベルデータ６０を読み出す。図１に示すように、ラベルデータ６０は、印刷範囲情報６１に加えてレイアウト情報６２を含んでいる。
【００５０】
印刷範囲情報６１は、第１画像配置領域２１１および第２画像配置領域２１２の輪郭形状に係る情報を含んでいる。レイアウト情報６２は、ユーザーが選択した画像とともに印刷されるテンプレート画像２１０と、当該テンプレート画像２１０内における第１画像配置領域２１１および第２画像配置領域２１２の位置情報を含んでいる。プロセッサー１３は、読み出した印刷範囲情報６１とレイアウト情報６２に基づいて、プレビュー領域９５にラベル２００のプレビュー画像９６を表示する。
【００５１】
プレビュー画像９６における第１画像配置領域２１１に対応する領域９６ａにユーザーが触れると、第１画像配置領域２１１に配置される画像の選択操作が有効になる。このとき第２画像配置領域２１２に対応する領域９６ｂは明度を下げた状態で表示され、第１画像配置領域２１１に配置される画像が選択対象であることが明らかにされる。
【００５２】
ユーザーは、画像選択領域８０に表示された複数のサムネイル画像のうち、所望の画像に触れることにより、第１画像配置領域２１１に配置される画像を選択できる。図６においては、画像８２が選択された例を示している。選択画像８２は、選択画像表示領域９０に拡大表示される。
【００５３】
次に範囲表示処理Ｓ２において、プロセッサー１３の表示制御部３１が、ラベルデータ６０の印刷範囲情報６１に基づいて、第１画像配置領域２１１の形状に対応する印刷範囲を示す指標９１ａを生成する。表示制御部３１は、生成した指標９１ａを、選択画像表示領域９０に表示されている選択画像８２に重ねて表示する。本例においては指標９１ａとして、第１画像配置領域２１１の輪郭形状に対応する長方形の枠線が表示されている。
【００５４】
次に範囲調整処理Ｓ３において、指標９１ａと選択画像８２の相対位置と相対角度の少なくとも一方が、ＵＩ７０Ａの操作を通じて調整される。調整操作の詳細については、図３と図４を参照して示した通りであるため、繰り返しとなる説明は割愛する。プロセッサー１３の範囲調整部３２は、調整操作中における、選択画像と指標の表示制御を司る。
【００５５】
また範囲調整部３２は、指標９１ａの内側に位置する選択画像８２の一部を、プレビュー画像９６における領域９６ａ内に表示する。範囲調整操作に伴って指標９１ａの内側に位置する選択画像８２の一部が変化すると、領域９６ａ内の画像も連動して変化する。
【００５６】
図７に示すように、プレビュー画像９６における第２画像配置領域２１２に対応する領域９６ｂにユーザーが触れると、再び画像選択処理Ｓ１に戻り、第２画像配置領域２１２に配置される画像の選択操作が有効になる。このとき第１画像配置領域２１１に対応する領域９６ａは明度を下げた状態で表示され、第２画像配置領域２１２に配置される画像が選択対象であることが明らかにされる。
【００５７】
ユーザーは、画像選択領域８０に表示された複数のサムネイル画像のうち、所望の画像に触れることにより、第２画像配置領域２１２に配置される画像を選択できる。図７においては、画像８３が選択された例を示している。選択画像８３は、選択画像表示領域９０に拡大表示される。
【００５８】
次に範囲表示処理Ｓ２において、プロセッサー１３の表示制御部３１が、ラベルデータ６０の印刷範囲情報６１に基づいて、第２画像配置領域２１２の形状に対応する印刷範囲を示す指標９１ｂを生成する。表示制御部３１は、生成した指標９１ｂを、選択画像表示領域９０に表示されている選択画像８３に重ねて表示する。本例においては指標９１ｂとして、第２画像配置領域２１２の輪郭形状に一致する円形の枠線が表示されている。
【００５９】
次に範囲調整処理Ｓ３において、指標９１ｂと選択画像８３の相対位置と相対角度の少なくとも一方が、ＵＩ７０Ａの操作を通じて調整される。調整操作の詳細については、図３と図４を参照して示した通りであるため、繰り返しとなる説明は割愛する。プロセッサー１３の範囲調整部３２は、調整操作中における、選択画像と指標の表示制御を司る。
【００６０】
また範囲調整部３２は、指標９１ｂの内側に位置する選択画像８３の一部を、プレビュー画像９６における領域９６ｂ内に表示する。範囲調整操作に伴って指標９１ｂの内側に位置する選択画像８３の一部が変化すると、領域９６ｂ内の画像も連動して変化する。
【００６１】
上記のようにして第１画像配置領域２１１と第２画像配置領域２１２に埋め込まれる画像が決定すると、印刷処理Ｓ４が実行される。印刷データ生成部３３は、画像データ４０から、範囲表示処理Ｓ２と範囲調整処理Ｓ３により定められた印刷範囲に対応する部分（すなわち指標９１ａ、９１ｂの内側部分）について、印刷データ５０を生成する。
【００６２】
生成された印刷データ５０は、メモリー１４に格納される。例えばインターフェース１２を通じて印刷実行指示が入力されることにより、印刷データ５０はメモリー１４から印刷部１５へ送られ、ラベル２００上への印刷が実行される。
【００６３】
上記の構成を有するラベル印刷装置１に実行されるラベル印刷方法によれば、ユーザーは、印刷対象のラベルの形状に対応する印刷範囲を示す指標を、表示部２０上に視認することができる。このため、原画像から抽出される画像の一部を、当該ラベルに適したものとすることが容易である。特にラベル１００のように複雑な輪郭形状を有する場合においても、抽出される画像を、当該輪郭形状とのレイアウトバランスがとれたものとすることが容易である。
【００６４】
図６と図７に示したように、プレビュー画像９６を表示する構成とした場合、原画像から抽出される画像とともにラベルに印刷される所定の画像が、当該抽出画像の印刷範囲に対する位置関係を維持した状態で表示される。したがって、ラベル２００のように所定のテンプレート画像中に複数の選択画像を埋め込む場合においても、抽出される画像を、当該テンプレート画像とのレイアウトバランスがとれたものとすることが容易である。
【００６５】
また選択画像に重ねて表示される指標９１（９１ａ、９１ｂ）は、選択画像に対する相対位置と相対角度の少なくとも一方が調整されている間、範囲調整部３２により寸法比が維持される。ユーザーによる印刷範囲の調整に過度の裁量を与えないようにすることにより、ラベル上に印刷される画像のレイアウトに係る直感性を確保するとともに、印刷結果とのミスマッチを防止している。
【００６６】
上記の実施形態は本発明の理解を容易にするためのものであって、本発明を限定するものではない。本発明は、その趣旨を逸脱することなく変更・改良され得ると共に、本発明にはその等価物が含まれることは勿論である。
【００６７】
上記の実施形態においては、画像選択処理Ｓ１と範囲調整処理Ｓ３における各種操作が、タッチパネル方式のＵＩを用いて行なわれている。しかしながら、説明した操作の少なくとも一つは、インターフェース１２に設けられたボタンやスイッチ等を用いて行なわれる構成としてもよい。
【００６８】
指標９１を生成するために用いられるラベルデータ６０は、必ずしも予めメモリー１４に格納されていることを要しない。例えばラベル印刷装置１に装填される媒体上に識別子を付し、当該識別子を読み取る機構をラベル印刷装置１に設けてもよい。この場合、読み取った識別子に応じたラベルデータを、例えばネットワークを通じてダウンロードし、メモリー１４に格納する構成としてもよい。
【００６９】
ＵＩ７０においてプレビュー表示領域９５を設け、ラベル１００のプレビュー画像を表示する構成としてもよい。ラベル１００はテンプレート画像を伴うものではないが、印刷後の状態をより直感的に把握することができる。
【００７０】
画像選択処理Ｓ１、範囲表示処理Ｓ２、および範囲調整処理Ｓ３は、必ずしもラベル印刷装置１が備える表示部２０上で行なわれることを要しない。ラベル印刷装置１と有線または無線通信可能に接続されたコンピューターや携帯情報端末が備える表示装置上で行なわれる構成としてもよい。
【符号の説明】
【００７１】
１：ラベル印刷装置、１４：メモリー、１５：印刷部、２０：表示部、３１：表示制御部、３２：範囲調整部、７０、７０Ａ：ＵＩ、８２、８３：選択画像、９０：選択画像表示領域、９１、９１ａ、９１ｂ：指標、９６：プレビュー画像、１００、２００：ラベル、２１０：テンプレート画像
【図１】
2014197729.tif 000003
【図２】
2014197729.tif 000004
【図３】
2014197729.tif 000005
【図４】
2014197729.tif 000006
【図５】
2014197729.tif 000007
【図６】
2014197729.tif 000008
【図７】
2014197729.tif 000009